(57)【要約】      （修正有）【課題】購入者が商品・サービスの提供以外のメリットを享受することができ、広告主も広告出稿の条件を自由に設定することができる環境を提供する。【解決手段】広告管理装置１００は、広告情報と広告主識別情報と広告料情報とを関連付けて記憶する広告情報記憶手段１１０と、広告公開手段により公開状態とされた広告情報を選択する操作を受け付ける選択広告受付手段１２０と、受け付けた広告情報を識別する広告識別情報を生成する広告識別情報生成手段１４０と、商品・サービスの提供を受ける際、広告主端末２３０に対し入力される広告識別情報を受け付ける広告識別情報受付手段１５０と、受け付けた広告識別情報と関連付けられた広告料情報に規定される金額を広告主に請求する広告料請求手段１６０と、受け付けた広告識別情報で識別される広告情報に規定される金額を、購入者が管理する通貨情報に加算する広告料分配手段１７０と、を有する。【選択図】図２
2015075922.tif 000002
【特許請求の範囲】
【請求項１】
広告主が運営する店舗において提供される商品・サービスに関する情報及び該商品・サービスを購入した場合に購入者へ支払われる金額に関する情報を含む広告情報と、該広告情報の出稿主体である広告主を識別する広告主識別情報と、該広告情報を出稿するための手数料であって、該出稿主体が自由に決める広告料情報と、を関連付けて記憶する広告情報記憶手段と、
前記広告情報を公開状態とする広告公開手段と、
前記広告情報に規定される条件で前記商品・サービスの提供を受けようとする前記購入者が操作する購入者端末において行われる操作であって、前記広告公開手段により公開状態とされた前記広告情報を選択する操作を受け付ける選択広告受付手段と、
前記選択広告受付手段により受け付けた前記操作に係る前記広告情報を識別する広告識別情報を生成する広告識別情報生成手段と、
前記広告識別情報で識別される前記広告情報に規定される条件で、前記購入者が前記店舗において前記商品・サービスの提供を受ける際、前記広告主が操作する広告主端末に対し入力される前記広告識別情報を受け付ける広告識別情報受付手段と、
前記広告識別情報受付手段により受け付けた前記広告識別情報で識別される前記広告情報と関連付けて記憶される前記広告料情報に規定される金額を、該広告情報と関連付けて記憶される前記広告主識別情報で特定される前記広告主に請求する処理を行う広告料請求手段と、
前記広告識別情報受付手段により受け付けた前記広告識別情報で識別される前記広告情報に規定される前記購入者へ支払われる金額を、前記購入者が管理する通貨情報に加算する処理を行う広告料分配手段と、を有することを特徴とする広告管理装置。
【請求項２】
前記購入者へ支払われる金額が、前記広告料情報に規定される金額に対し、１より小さい正数である第１の係数を乗じた金額であることを特徴とする請求項１に記載の広告管理装置。
【請求項３】
前記広告情報記憶手段において、前記広告主の広告管理作業を代行する代理店を識別する代理店識別情報と、前記広告情報、前記広告主識別情報及び前記広告料情報とを関連付けて記憶し、
前記広告料分配手段が、前記広告識別情報受付手段により受け付けた前記広告識別情報で識別される前記広告情報と関連付けて記憶される前記代理店識別情報で特定される前記代理店が管理する通貨情報に、前記広告料情報に規定される金額から前記購入者へ支払われる金額を控除した金額に対し、１より小さい正数である第２の係数を乗じた金額を加算する処理を行うことを特徴とする請求項１又は２に記載の広告管理装置。
【請求項４】
前記広告識別情報生成手段が、前記購入者を識別する購入者識別情報を含む前記広告識別情報を生成し、
前記広告料分配手段が、前記広告識別情報受付手段により受け付けた前記広告識別情報で識別される前記購入者が管理する通貨情報に加算する処理を行うことを特徴とする請求項１乃至３の何れか一に記載の広告管理装置。
【請求項５】
前記広告識別情報生成手段が、前記広告主識別情報を含む前記広告識別情報を生成し、
前記広告料請求手段が、前記広告識別情報受付手段により受け付けた前記広告識別情報で識別される前記広告主に請求する処理を行うことを特徴とする請求項１乃至４の何れか一に記載の広告管理装置。
【請求項６】
広告主が運営する店舗において提供される商品・サービスに関する情報及び該商品・サービスを購入した場合に購入者へ支払われる金額に関する情報を含む広告情報と、該広告情報の出稿主体である広告主を識別する広告主識別情報と、該広告情報を出稿するための手数料であって、該出稿主体が自由に決める広告料情報と、を関連付けて記憶する広告情報記憶手段を有する広告管理装置が行う広告管理方法であって、
広告公開手段が、前記広告情報を公開状態とするステップと、
選択広告受付手段が、前記広告情報に規定される条件で前記商品・サービスの提供を受けようとする前記購入者が操作する購入者端末において行われる操作であって、前記広告公開手段により公開状態とされた前記広告情報を選択する操作を受け付けるステップと、
広告識別情報生成手段が、前記選択広告受付手段により受け付けた前記操作に係る前記広告情報を識別する広告識別情報を生成するステップと、
広告識別情報受付手段が、前記広告識別情報で識別される前記広告情報に規定される条件で、前記購入者が前記店舗において前記商品・サービスの提供を受ける際、前記広告主が操作する広告主端末に対し入力される前記広告識別情報を受け付けるステップと、
広告料請求手段が、前記広告識別情報受付手段により受け付けた前記広告識別情報で識別される前記広告情報と関連付けて記憶される前記広告料情報に規定される金額を、該広告情報と関連付けて記憶される前記広告主識別情報で特定される前記広告主に請求する処理を行うステップと、
広告料分配手段が、前記広告識別情報受付手段により受け付けた前記広告識別情報で識別される前記広告情報に規定される前記購入者へ支払われる金額を、前記購入者が管理する通貨情報に加算する処理を行うステップと、を含むことを特徴とする広告管理方法。
【請求項７】
前記購入者へ支払われる金額が、前記広告料情報に規定される金額に対し、１より小さい正数である第１の係数を乗じた金額であることを特徴とする請求項６に記載の広告管理方法。
【請求項８】
前記広告情報記憶手段においては、前記広告主の広告管理作業を代行する代理店を識別する代理店識別情報と、前記広告情報、前記広告主識別情報及び前記広告料情報とが関連付けて記憶され、
前記広告料分配手段が、前記広告識別情報受付手段により受け付けた前記広告識別情報で識別される前記広告情報と関連付けて記憶される前記代理店識別情報で特定される前記代理店が管理する通貨情報に、前記広告料情報に規定される金額から前記購入者へ支払われる金額を控除した金額に対し、１より小さい正数である第２の係数を乗じた金額を加算する処理を行うことを特徴とする請求項６又は７に記載の広告管理方法。
【請求項９】
前記広告識別情報生成手段が、前記購入者を識別する購入者識別情報を含む前記広告識別情報を生成し、
前記広告料分配手段が、前記広告識別情報受付手段により受け付けた前記広告識別情報で識別される前記購入者が管理する通貨情報に加算する処理を行うことを特徴とする請求項６乃至８の何れか一に記載の広告管理方法。
【請求項１０】
前記広告識別情報生成手段が、前記広告主識別情報を含む前記広告識別情報を生成し、
前記広告料請求手段が、前記広告識別情報受付手段により受け付けた前記広告識別情報で識別される前記広告主に請求する処理を行うことを特徴とする請求項６乃至９の何れか一に記載の広告管理方法。
【請求項１１】
コンピュータに、請求項６乃至１０の何れか一に記載の広告管理方法を実行させるための広告管理プログラム。
【発明の詳細な説明】
【技術分野】
【０００１】
商品・サービスの販売促進に資するコンピュータシステムの技術に関する。
【背景技術】
【０００２】
近年、アフィリエイト（Affiliate）と呼ばれる費用対効果の高い広告手法が注目されている。アフィリエイトとは、ＷＥＢサイトやメールマガジンなどが商品・サービスの販売者が運営・管理するサイトへリンクを張り、閲覧者がそのリンクを経由して当該サイトで会員登録したり、商品・サービスを購入したりすると、リンク元サイトの運営・管理者に報酬が支払われるという仕組みである。
【０００３】
アフィリエイトの広告手法は、売上など一定の成果に応じて広告の支払い額が決定されるため、成果とは無関係に広告費が決まる従来の広告に比べ、費用対効果の高い広告手法だということができる。
【０００４】
一方で、アフィリエイト広告に関する技術開発が盛んに行われているが、当手法は販売者・購入者による取引情報の正確な報告が肝要であるところ、販売者の報告を促進し、紹介者がより多くの取引実績情報を収集できるようにする技術についても開発が行われている。例えば、特許文献１では、「商品やサービスの内容および成果報酬条件を管理する販売条件管理部110と、販売者および購入者から報告される商取引内容、および紹介者に支払う報酬金額および購入者に支払う分配金額を管理する報酬情報管理部と120とを備え」、「報酬情報管理部は、分配情報、および販売者、購入者の取引情報報告状況に応じて報酬金、および分配金を算出する報酬金額計算手段129を有する」コンピュータシステムが提案されている。
【先行技術文献】
【特許文献】
【０００５】
【特許文献１】特開２００６−１９００９９号公報
【発明の概要】
【発明が解決しようとする課題】
【０００６】
しかしながら、上記の従来技術では、アフィリエイト広告の性格上、商品・サービスの購入者が受けるメリットが無く、そのため、広告対象である商品・サービスの販売を促進させる効果が不十分であるという問題点があった。
【０００７】
また、上記の従来技術では、商品・サービスの販売者である広告主が、広告を出稿する時期及び広告の出稿費用を自由に設定することができないという問題点があった。
【０００８】
そこで本発明では、上記問題点を鑑み、購入者が商品・サービスの提供以外のメリットを享受することができ、広告主も広告出稿の条件を自由に設定することができる広告管理装置、広告管理方法及び広告管理プログラムを提案することを目的とする。
【課題を解決するための手段】
【０００９】
開示する広告管理装置の一形態は、広告主が運営する店舗において提供される商品・サービスに関する情報及び該商品・サービスを購入した場合に購入者へ支払われる金額に関する情報を含む広告情報と、該広告情報の出稿主体である広告主を識別する広告主識別情報と、該広告情報を出稿するための手数料であって、該出稿主体が自由に決める広告料情報と、を関連付けて記憶する広告情報記憶手段と、前記広告情報を公開状態とする広告公開手段と、前記広告情報に規定される条件で前記商品・サービスの提供を受けようとする前記購入者が操作する購入者端末において行われる操作であって、前記広告公開手段により公開状態とされた前記広告情報を選択する操作を受け付ける選択広告受付手段と、前記選択広告受付手段により受け付けた前記操作に係る前記広告情報を識別する広告識別情報を生成する広告識別情報生成手段と、前記広告識別情報で識別される前記広告情報に規定される条件で、前記購入者が前記店舗において前記商品・サービスの提供を受ける際、前記広告主が操作する広告主端末に対し入力される前記広告識別情報を受け付ける広告識別情報受付手段と、前記広告識別情報受付手段により受け付けた前記広告識別情報で識別される前記広告情報と関連付けて記憶される前記広告料情報に規定される金額を、該広告情報と関連付けて記憶される前記広告主識別情報で特定される前記広告主に請求する処理を行う広告料請求手段と、前記広告識別情報受付手段により受け付けた前記広告識別情報で識別される前記広告情報に規定される前記購入者へ支払われる金額を、前記購入者が管理する通貨情報に加算する処理を行う広告料分配手段と、を有することを特徴とする。
【００１０】
また、開示する広告管理装置の一形態は、上記構成に加え、前記購入者へ支払われる金額が、前記広告料情報に規定される金額に対し、１より小さい正数である第１の係数を乗じた金額であることを特徴とする。
【００１１】
また、開示する広告管理装置の一形態は、上記構成に加え、前記広告情報記憶手段において、前記広告主の広告管理作業を代行する代理店を識別する代理店識別情報と、前記広告情報、前記広告主識別情報及び前記広告料情報とを関連付けて記憶し、前記広告料分配手段が、前記広告識別情報受付手段により受け付けた前記広告識別情報で識別される前記広告情報と関連付けて記憶される前記代理店識別情報で特定される前記代理店が管理する通貨情報に、前記広告料情報に規定される金額から前記購入者へ支払われる金額を控除した金額に対し、１より小さい正数である第２の係数を乗じた金額を加算する処理を行うことを特徴とする。
【００１２】
また、開示する広告管理装置の一形態は、上記構成に加え、前記広告識別情報生成手段が、前記購入者を識別する購入者識別情報を含む前記広告識別情報を生成し、前記広告料分配手段が、前記広告識別情報受付手段により受け付けた前記広告識別情報で識別される前記購入者が管理する通貨情報に加算する処理を行うことを特徴とする。
【００１３】
また、開示する広告管理装置の一形態は、上記構成に加え、前記広告識別情報生成手段が、前記広告主識別情報を含む前記広告識別情報を生成し、前記広告料請求手段が、前記広告識別情報受付手段により受け付けた前記広告識別情報で識別される前記広告主に請求する処理を行うことを特徴とする。
【発明の効果】
【００１４】
開示する広告管理装置は、購入者が商品・サービスの提供以外のメリットを享受することができ、広告主も広告出稿の条件を自由に設定することができる環境を提供する。
【図面の簡単な説明】
【００１５】
【図１】本実施の形態に係る広告管理装置の概要を示す図である。
【図２】本実施の形態に係る広告管理装置の機能ブロック図である。
【図３】本実施の形態に係る広告情報記憶手段の概要を示す図である。
【図４】本実施の形態に係る商品・サービスに関する情報の一例を示す図である。
【図５】本実施の形態に係る広告公開手段が行う処理の一例を示す図である。
【図６】本実施の形態に係る広告識別情報の一例を示す図である。
【図７】本実施の形態に係る広告管理装置のハードウエア構成例である。
【図８】本実施の形態に係る広告管理装置による処理の流れを例示するフローチャートである。
【図９】本実施の形態に係る広告管理装置において取り扱う広告主に関する情報の一例を示す図である。
【図１０】本実施の形態に係る広告管理装置において取り扱う代理店に関する情報の一例を示す図である。
【図１１】本実施の形態に係る広告管理装置において取り扱う購入者に関する情報の一例を示す図である。
【発明を実施するための形態】
【００１６】
図面を参照しながら、本発明を実施するための形態について説明する。
（本実施の形態に係る広告管理装置の概要）
【００１７】
図１を用いて、本実施の形態に係る広告管理装置１００の概要について説明する。図１は、広告管理装置１００の概要を説明する図である。広告管理装置１００は、商品・サービスの購入者２４０が操作する購入者端末２６０、商品・サービスの販売を行うと共に、商品・サービスに関する広告を出稿する広告主２１０が操作する広告主端末２３０、広告主２１０が行うべき広告出稿作業を代理で行う代理店２７０が操作する代理店端末２９０などと、通信ネットワークを介して接続される。
【００１８】
広告主２１０又は代理店２７０は、営業状況の好・不調など自身の都合に合わせ、自身の都合の良い広告料で、広告主２１０が運営する店舗３００で提供される商品・サービスに関する広告を、広告管理装置１００へ出稿する。なお、広告主２１０が出稿する広告には、購入者２４０が広告に関する商品・サービスを購入した場合、購入者２４０へ支払われる金額３２０が記載されている。また、広告主２１０は、１社であっても複数であっても良く、出稿される広告も、１つであっても複数であっても良い。
【００１９】
購入者２４０は、広告管理装置１００上で公開されている広告のうち、自分が購入を希望する商品・サービスに関する広告３３０を選択する。広告管理装置１００は、購入者２４０の操作に伴い、選択された広告３３０を識別する広告識別情報３５０を生成し、購入者２４０（購入者端末２６０）へ通知する。
【００２０】
購入者２４０は、店舗３００にて広告識別情報３５０を広告主２１０へ提示し、希望する商品・サービスの提供を受けると共に、当該商品・サービスの提供に係る購入代金の支払いを行う。
【００２１】
一方、広告主２１０は、購入者２４０から提示された広告識別情報３５０を広告管理装置１００へ通知し、広告管理装置１００は、広告主２１０に対し、利用された広告３３０に関する広告料３４０を請求する処理を行う。
【００２２】
他方、広告管理装置１００は、広告３３０を利用し商品・サービスを購入した購入者２４０に対し、広告主２１０が支払う広告料３４０の一部を分配する処理を行う。また、広告管理装置１００は、利用された広告３３０に紐付けられた代理店２７０に対し、広告主２１０が支払う広告料３４０から購入者２４０への分配金３２０を控除した金額の一部を分配する処理を行う形態としても良い。なお、広告管理装置１００が得る収益は、広告主２１０が支払う広告料３４０から購入者２４０及び代理店２７０への分配金を控除した金額となる。
【００２３】
このような処理を行うことによって、広告管理装置１００は、購入者２４０が商品・サービスの提供以外のメリットを享受することができ、広告主２１０も広告出稿の条件を自由に設定することができる環境を提供する。また、広告管理装置１００は、広告主２１０へ提供したサービスに関連して、代理店２７０へ適切な金銭的メリットを提供することができる。
（本実施の形態に係る広告管理装置の動作原理）
【００２４】
図２乃至６を用いて、本実施の形態に係る広告管理装置１００の動作原理について説明する。図２は、広告管理装置１００の機能ブロック図である。図２で示すように、広告管理装置１００は、広告情報記憶手段１１０、広告公開手段１２０、選択広告受付手段１３０、広告識別情報生成手段１４０、広告識別情報受付手段１５０、広告料請求手段１６０、広告料分配手段１７０を有する。
【００２５】
図３で示すように、広告情報記憶手段１１０は、広告情報３３０、広告主識別情報２２０、広告料情報３４０、代理店識別情報２８０、広告識別情報３５０を関連付けて記憶する。ここで、広告情報３３０は、広告主２１０が運営する店舗３００において提供される商品・サービスに関する情報（以下、単に「商品・サービス情報」という）３１０、商品・サービス情報３１０を購入した場合、購入者２４０へ支払われる金額に関する情報（以下、単に「購入者分配額」という。）３２０を含む情報である。また、図４で示すように、商品・サービス情報３１０は、店舗３００にて提供される商品・サービスに関する詳細情報、店舗３００へのアクセス情報、商品・サービスの販売金額、その他商品・サービスの提供に係る条件などに関する情報である。
【００２６】
広告主識別情報２２０は、広告情報３３０の出稿主体であり、店舗３００の運営主体である。広告料情報３４０は、広告情報３３０を出稿するために広告主２１０が支払うべき手数料であって、広告主２１０が自由に決めることができる手数料に関する情報である。なお、広告料情報３４０と購入者分配額３２０とが連動する形態であっても良く、例えば、購入者分配額３２０を、広告料情報３４０に１より小さい正数（第１の係数）３６０を乗じて算出される金額とする形態であっても良い。
代理店識別情報２８０は、広告主２１０の広告管理作業を代行する代理店２７０を識別する情報である。なお、広告識別情報３５０については後述する。
【００２７】
広告公開手段１２０は、広告情報記憶手段１１０に記憶される広告情報３３０を、広告主端末２３０、購入者端末２６０、代理店端末２９０、表示装置４７０などの装置上で公開状態とする処理を行う。つまり、広告公開手段１２０は、広告管理装置１００と通信ネットワークを介して接続される種々の装置上又は広告管理装置１００上で、広告情報３３０を閲覧可能な状態とするための処理を行う。図５で示すように、例えば、広告情報記憶手段１１０に「広告情報Ａ」、「広告情報Ｂ」、…、「広告情報Ｘ」などの複数の広告情報３３０が記憶される場合、広告公開手段１２０は、購入者端末２６０上に、これら複数の広告情報３３０を一覧可能に表示させる。
【００２８】
選択広告受付手段１３０は、購入者２４０が操作する購入者端末２６０にて行われる、一の広告情報３３０が選択される操作を受け付け、選択された広告情報３３０を認識する処理を行う。図５で示すように、例えば、選択広告受付手段１３０は、購入者端末２６０上に表示された「広告情報Ａ」、「広告情報Ｂ」、…、「広告情報Ｘ」の広告情報３３０のうち、選択された一の広告情報３３０を認識する処理を行う。
【００２９】
広告識別情報生成手段１４０は、選択広告受付手段１３０によって選択されたことが認識された広告情報３３０を識別する広告識別情報３５０を生成すると共に、広告情報記憶手段１１０において、対応する広告情報３３０と関連付けて記憶させる。なお、広告識別情報３５０は、選択広告受付手段１３０が受け付けた広告情報３３０の選択操作を行った購入者２４０を識別する購入者識別情報２５０や広告情報３３０の出稿主体である広告主２１０を識別する広告主識別情報２２０を含む形態であっても良い。
【００３０】
なお、図６で示すように、広告識別情報３５０は、識別番号（（ａ）を参照。）、１次元バーコード（（ｂ）を参照。）、ＱＲコード（登録商標）等の２次元バーコード（（ｃ）を参照。）など、どの様な形態であっても良い。また、広告識別情報生成手段１４０は、生成した広告識別情報３５０を購入者端末２６０（購入者２４０）へ通知する。
【００３１】
広告識別情報受付手段１５０は、広告識別情報３５０で識別される広告情報３３０に規定される条件で、購入者２４０が店舗３００において商品・サービスの提供を受ける際、広告主２１０が操作する広告主端末２３０に対し入力される広告識別情報３５０を受け付ける。受付手段は、手動入力であっても、センサによる読取であっても良く、その受付に係る形態は特に限定しない。
【００３２】
なお、広告識別情報受付手段１５０は、広告主識別情報２２０・購入者識別情報２５０についても、広告主端末２３０における入力情報を受け付ける形で取得する。広告主端末２３０における広告主識別情報２２０・購入者識別情報２５０の入力は、手動入力など広告識別情報３５０とは独立した入力形態であっても良く、広告識別情報３５０に含まれて入力される形態であっても良い。
【００３３】
広告料請求手段１６０は、広告識別情報受付手段１５０が受け付けた広告識別情報３５０と広告情報記憶手段１１０において関連付けて記憶される広告主識別情報２２０で識別される広告主２１０に対し、広告料情報３４０で規定される金額の広告料を請求する処理を行う。つまり、広告料請求手段１６０は、広告管理装置１００上で利用された広告情報３３０に係る広告料を広告主２１０へ請求する処理を行う。このように、広告管理装置１００は、広告情報３３０の利用に応じて広告出稿に係る支払い額が決定されるため、費用対効果の高い広告手法を提供することができる。
【００３４】
広告料分配手段１７０は、広告識別情報受付手段１５０が受け付けた広告識別情報３５０と広告情報記憶手段１１０において関連付けて記憶される購入者分配額３２０を、購入者２４０が管理する通貨情報に加算する処理を行う。広告料分配手段１７０は、購入者２４０が管理する銀行口座へ所定の金額を振り込む処理を行う形態でも良く、広告管理装置１００で取り扱う仮想通貨情報を所定の金額分だけ加算するする処理を行う形態でも良い。つまり、広告料分配手段１７０は、店舗３００における商品・サービスの購入条件であった購入者分配額３２０を、購入者２４０に対しキャッシュバックする処理を行う。このように、広告管理装置１００は、広告情報３３０の利用に応じて購入者２４０が金銭的メリットを受けることができるため、購入者２４０の購買意欲を高め、広告主２１０の販売促進に資することができる。
【００３５】
なお、「購入者２４０の店舗３００における商品・サービスの購入額」＞「購入者２４０へ支払われる金額３２０」とすれば、購入者２４０の購買行動によって、広告主２１０の手元には一定の利益（＝売上−経費）が計上されることとなる。
【００３６】
また、広告料分配手段１７０は、広告識別情報受付手段１５０が受け付けた広告識別情報３５０と広告情報記憶手段１１０において関連付けて記憶される代理店識別情報２８０で識別される代理店２７０が管理する通貨情報に、所定の金額を加算する処理を行う。ここで、所定の金額とは、広告主２１０への請求額３４０から購入者分配額３２０を控除した金額に１より小さい正数（第２の係数）３７０を乗じて算出される金額とする形態であっても良い。広告料分配手段１７０は、代理店２７０が管理する銀行口座へ所定の金額を振り込む処理を行う形態でも良く、広告管理装置１００で取り扱う仮想通貨情報を所定の金額分だけ加算するする処理を行う形態でも良い。つまり、広告料分配手段１７０は、利用された広告情報３３０に応じた報酬を代理店２７０へ提供することができ、広告主２１０の広告管理作業を行うことへのインセンティブを代理店２７０へ提供することができる。
【００３７】
なお、広告料分配手段１７０は、広告識別情報３５０に購入者識別情報２５０や代理店識別情報２８０が含まれる場合、これら識別情報で特定される購入者２４０や代理店２７０が管理する通貨情報に対し、所定の金額を加算する処理を行う形態としても良い。
（本実施の形態に係る広告管理装置のハードウエア構成）
【００３８】
図７を用いて、広告管理装置１００のハードウエア構成例について説明する。図７は、広告管理装置１００のハードウエア構成の一例を示す図である。図７で示すように、広告管理装置１００は、ＣＰＵ（Central Processing Unit）４１０、ＲＯＭ（Read-Only
Memory）４２０、ＲＡＭ（Random Access Memory）４３０、補助記憶装置４４０、通信Ｉ／Ｆ４５０、入力装置４６０、表示装置４７０、記録媒体Ｉ／Ｆ４８０を有する。
【００３９】
ＣＰＵ４１０は、ＲＯＭ４２０に記憶されたプログラムを実行する装置であり、ＲＡＭ４３０に展開（ロード）されたデータを、プログラムの命令に従って演算処理し、広告管理装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００４０】
補助記憶装置４４０は、基本ソフトウエアであるＯＳ（Operating System）や本実施の形態に係るアプリケーションプログラムなどを、関連するデータとともに記憶する装置である。補助記憶装置４４０は、広告情報記憶手段１１０を含み、例えば、ＨＤＤ（Hard Disc Drive）やフラッシュメモリなどである。
【００４１】
通信Ｉ／Ｆ４５０は、有線・無線ＬＡＮ（Local Area Network）、インターネットなどの通信ネットワークに接続し、通信機能を提供する他装置とデータの授受を行うためのインターフェースである。
【００４２】
入力装置４６０は、キーボードなど広告管理装置１００にデータ入力を行うための装置である。表示装置（出力装置）４７０は、ＬＣＤ（Liquid Crystal Display）等で構成される装置であり、広告管理装置１００が有する機能をユーザーが利用する際や各種設定を行う際のユーザーインタフェースとして機能する装置である。記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００４３】
広告管理装置１００が有する各手段は、ＣＰＵ４１０が、ＲＯＭ４２０又は補助記憶装置４４０に記憶された各手段に対応するプログラムを実行することにより実現される形態としても良い。また、広告管理装置１００が有する各手段は、当該各手段に関する処理をハードウエアとして実現される形態としても良い。また、通信Ｉ／Ｆ４５０を介して外部サーバ装置から本発明に係るプログラムを読み込ませたり、記録媒体Ｉ／Ｆ４８０を介して記録媒体４９０から本発明に係るプログラムを読み込ませたりして、広告管理装置１００に当該プログラムを実行させる形態としても良い。
（本実施の形態に係る広告管理装置による処理例）
【００４４】
図８を用いて、本実施の形態に係る広告管理装置１００による処理例について説明する。図８は、広告管理装置１００による処理例の流れを示すフローチャートである。
【００４５】
Ｓ１０で広告管理装置１００が、装置１００が行う処理の基礎となる情報について、広告主端末２３０、購入者端末２６０及び代理店端末２９０からの入力操作を受け付け、受け付けた情報を補助記憶装置４４０上に記憶させる。図９で示すように、例えば、広告管理装置１００は、広告主端末２３０から、「広告主名：ＡＢＣ」、「契約代理店：ＤＥＦ」、…、「決済口座情報：あああああ」などの広告主２１０に関する情報を受け付け、登録する。また、図１０で示すように、例えば、広告管理装置１００は、代理店端末２９０から、「代理店名：ＤＥＦ」、「契約広告主：ＡＢＣ」、…、「決済口座情報：いいいいい」などの代理店２７０に関する情報を受け付け、登録する。さらに、図１１で示すように、例えば、広告管理装置１００は、購入者端末２６０から、「購入者氏名：あいうえお」、「住所：東京都新宿区…」、…、「決済口座情報：ううううう」などの購入者２４０に関する情報を受け付け、登録する。
【００４６】
Ｓ２０で広告管理装置１００が、広告主端末２３０又は代理店端末２９０から、広告情報３３０、広告主識別情報２２０、広告料情報３４０、代理店識別情報２８０を受け付け、広告情報記憶手段１１０へ記憶させる。Ｓ２０の処理では、１つ以上の広告主２１０又は代理店２７０から複数組の情報（「広告情報Ａ」、「広告情報Ｂ」、…、「広告情報Ｘ」）を受け付け、記憶（登録）させる形態を想定している。
【００４７】
Ｓ３０で広告公開手段１２０が、Ｓ２０において登録された広告情報３３０を、通信ネットワークを介して、購入者端末２６０等の装置上で閲覧可能な状態とする。図５で示すように、広告情報記憶手段１１０に「広告情報Ａ」、「広告情報Ｂ」、…、「広告情報Ｘ」など複数の広告情報３３０が記憶される場合、広告公開手段１２０は、購入者端末２６０上に、これら複数の広告情報３３０を一覧可能に表示させる。
【００４８】
Ｓ４０で選択広告受付手段１３０が、購入者端末２６０において行われる、一の広告情報３３０が選択される操作を受け付け、選択された広告情報３３０を認識する処理を行う。図５で示すように、選択広告受付手段１３０は、購入者端末２６０上に表示された「広告情報Ａ」、「広告情報Ｂ」、…、「広告情報Ｘ」の広告情報３３０のうち、例えば、選択された広告情報３３０として「広告情報Ａ」を認識する処理を行う。
【００４９】
Ｓ５０で広告識別情報生成手段１４０が、Ｓ４０において選択された「広告情報Ａ」３３０を識別する広告識別情報３５０を生成すると共に、広告情報記憶手段１１０において、「広告情報Ａ」３３０と関連付けて記憶させる。例えば、広告識別情報３５０は、Ｓ４０において選択操作を行った購入者「あいうえお」２４０を識別する「ユーザーＩＤ：ｐａｔｅｎｔ」２５０や「広告情報Ａ」３３０を出稿した広告主「ＡＢＣ」２１０を識別する「広告主ＩＤ：ｓｕｚｕｋｉ」２２０を含む形態であっても良い。なお、図６で示すように、広告識別情報３５０の形態は特に限定されない。また、広告識別情報生成手段１４０は、生成した広告識別情報３５０を購入者「あいうえお」２４０が操作する購入者端末２６０へ通知する。
【００５０】
Ｓ６０で広告識別情報受付手段１５０が、Ｓ４０において選択された「広告情報Ａ」３３０に規定される条件で、購入者「あいうえお」２４０が店舗３００において商品・サービスの提供を受ける際、広告主「ＡＢＣ」２１０が操作する広告主端末２３０に対し入力される広告識別情報３５０を受け付ける。受付手段は、手動入力であっても、センサによる読取であっても良く、受付の形態は特に限定しない。
【００５１】
なお、広告識別情報受付手段１５０は、広告主識別情報「ｓｕｚｕｋｉ」２２０・購入者識別情報「ｐａｔｅｎｔ」２５０についても、広告主端末２３０における入力情報を受け付ける形で取得する。
【００５２】
Ｓ７０で広告料請求手段１６０が、Ｓ６０において取得した広告主識別情報「ｓｕｚｕｋｉ」２２０で識別される広告主「ＡＢＣ」２１０に対し、広告料情報３４０で規定される金額を請求する処理を行う。つまり、広告料請求手段１６０は、広告管理装置１００上で利用された「広告情報Ａ」３３０に係る広告料を広告主「ＡＢＣ」２１０へ請求する処理を行う。このように、広告管理装置１００は、広告情報３３０の利用に応じて広告出稿に係る支払い額が決定されるため、費用対効果の高い広告手法を提供することができる。
【００５３】
Ｓ８０で広告料分配手段１７０が、Ｓ６０において取得した広告識別情報３５０と関連付けて記憶される購入者分配額３２０を、購入者「あいうえお」２４０が管理する通貨情報に加算する処理を行う。つまり、広告料分配手段１７０は、店舗３００における商品・サービスの購入条件であった購入者分配額３２０を、購入者「あいうえお」２４０に対しキャッシュバックする処理を行う。このように、広告管理装置１００は、広告情報３３０の利用に応じて購入者２４０が金銭的メリットを受けることができるため、購入者２４０の購買意欲を高め、広告主２１０の販売促進に資することができる。
【００５４】
また、Ｓ８０で広告料分配手段１７０が、Ｓ６０において取得した広告識別情報３５０と関連付けて記憶される代理店識別情報「ｋｅｉｋｏ」２８０で識別される代理店「ＤＥＦ」２７０が管理する通貨情報に、所定の金額を加算する処理を行う。ここで、所定の金額とは、広告主「ＡＢＣ」２１０への請求額３４０から購入者分配額３２０を控除した金額に第２の係数３７０を乗じて算出される金額とする。つまり、広告料分配手段１７０は、利用された広告情報３３０に応じた報酬を代理店２７０へ提供することができ、広告主２１０の広告管理作業を行うことへのインセンティブを代理店２７０へ提供することができる。
【００５５】
なお、広告料分配手段１７０は、購入者「あいうえお」２４０・代理店「ＤＥＦ」２７０が管理する銀行口座へ所定の金額を振り込む処理を行う形態でも良く、広告管理装置１００で取り扱う仮想通貨情報を所定の金額分だけ加算するする処理を行う形態でも良い。
【００５６】
上記処理を行うことによって、広告管理装置１００は、購入者２４０が商品・サービスの提供以外のメリットを享受することができ、広告主２１０も広告出稿の条件を自由に設定することができる環境を提供する。
【００５７】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５８】
１００  広告管理装置、１１０  広告情報記憶手段、１２０  広告公開手段、１３０  選択広告受付手段、１４０  広告識別情報生成手段、１５０  広告識別情報受付手段、１６０  広告料請求手段、１７０  広告料分配手段、２１０  広告主、２２０  広告主識別情報、２３０  広告主端末、２４０  購入者、２５０  購入者識別情報、２６０  購入者端末、２７０  代理店、２８０  代理店識別情報、２９０  代理店端末、３００  広告主が運営する店舗、３１０  商品・サービスに関する情報（商品・サービス情報）、３２０  購入者へ支払われる金額（購入者分配額）、３３０  広告情報、３４０  広告料情報、３５０  広告識別情報、３６０  第１の係数、３７０  第２の係数、４１０  ＣＰＵ、４２０  ＲＯＭ、４３０  ＲＡＭ、４４０  補助記憶装置、４５０  通信インターフェース、４６０  入力装置、４７０  出力装置、４８０  記録媒体インターフェース
【図１】
2015075922.tif 000003
【図２】
2015075922.tif 000004
【図３】
2015075922.tif 000005
【図４】
2015075922.tif 000006
【図５】
2015075922.tif 000007
【図６】
2015075922.tif 000008
【図７】
2015075922.tif 000009
【図８】
2015075922.tif 000010
【図９】
2015075922.tif 000011
【図１０】
2015075922.tif 000012
【図１１】
2015075922.tif 000013